(57)【要約】【課題】電気光学装置において開口率の向上と表示品質及び消費電力の両立を図る。【解決手段】各画素２００が複数のサブ画素２０から構成され、この複数のサブ画素２０の内の少なくとも１つが、反射領域２０４に形成され、他の少なくとも１つが透過領域２０２に形成される。さらに、反射領域２０４の中には、複数のサブ画素２０をそれぞれ駆動するための駆動素子２２を形成する。例えば、サブ画素２０は、例えばＲ，Ｇ，Ｂ，Ｗの色に割り当てられている場合、反射領域２０４をＷのサブ画素２０ｗに割り当てることで、カラー透過表示の領域の開口率を飛躍的に拡大しつつ、反射表示ができ、消費電力の低減を図ることができる。【選択図】図１
2008122473.tif 000002
【特許請求の範囲】
【請求項１】
複数の画素を備える電気光学装置であって、
前記複数の画素における各画素は、複数のサブ画素を備え、
１画素を構成する前記複数のサブ画素の内の少なくとも１つは、反射領域に形成されるとともに、前記複数のサブ画素の内の他の少なくとも１つは、透過領域に形成され、
前記反射領域の中に、前記１画素における複数のサブ画素の各々を駆動するための駆動素子が形成されていることを特徴とする電気光学装置。
【請求項２】
請求項１に記載の電気光学装置において、
前記１画素を構成する前記複数のサブ画素は、各々異なる色に対応付けられ、前記反射領域に形成されたサブ画素は、無色に対応付けられていることを特徴とする電気光学装置。
【請求項３】
請求項１に記載の電気光学装置において、
前記１画素を構成する前記複数のサブ画素は、無色、赤、青、緑のいずれかの色に対応付けられ、前記反射領域に形成されたサブ画素は、無色に対応付けられていることを特徴とする電気光学装置。
【請求項４】
請求項１乃至請求項３のいずれか一項に記載の電気光学装置において、
前記反射領域は、外光を散乱させる凹凸を備えた反射層を備えるとともに、該反射層による外光の反射光を用いた表示を行う領域であり、
前記透過領域は、光源からの光の透過光を用いた表示を行う領域であることを特徴とする電気光学装置。
【請求項５】
請求項４に記載の電気光学装置において、
前記反射層は、前記１画素を構成する前記複数のサブ画素を駆動するための前記駆動素子が設けられた領域を覆って形成され、前記反射層には、前記駆動素子の存在に起因して前記凹凸が形成されていることを特徴とする電気光学装置。
【請求項６】
請求項１乃至請求項５のいずれか一項に記載の電気光学装置において、
前記１画素を構成する前記複数のサブ画素のうち、
前記反射領域に形成されたサブ画素は、該複数のサブ画素の各々選択するための走査線と、前記複数のサブ画素にデータを供給するデータ線との交差に対応して設けられていることを特徴とする電気光学装置。
【請求項７】
請求項６に記載の電気光学装置において、
前記１画素を構成する前記複数のサブ画素は、前記走査線が延在する方向または前記データ線が延在する方向に順に並んで配列されていることを特徴とする電気光学装置。
【請求項８】
請求項１乃至請求項５のいずれか一項に記載の電気光学装置において、
前記１画素を構成する前記複数のサブ画素は、行方向及び列方向にブロック状に配置され、
前記１画素における複数のサブ画素の内、前記反射領域に形成されたサブ画素は、当該１画素に隣接する１画素の前記反射領域に形成されたサブ画素と隣接するように配置されていることを特徴とする電気光学装置。
【発明の詳細な説明】
【技術分野】
【０００１】
本発明は、液晶などの電気光学素子を用いた電気光学装置に関する。
【背景技術】
【０００２】
電気光学装置として、液晶表示装置（以下ＬＣＤという）が知られており、ＬＣＤは、一対の基板間に液晶が封入され、液晶の配向を画素毎に制御して表示を行っており、薄型で低消費電力であるという特徴を備え、現在、コンピュータモニターや、携帯情報機器などのモニターとして用いられている。とりわけ、図６の等価回路に示すように、各画素にこの画素を制御するためのスイッチング素子ＳＷ及び保持容量Ｃｓを備えるいわゆるアクティブマトリクス型ＬＣＤは、高精細で高品質な表示が可能であるため、表示装置への採用が進んでいる。
【０００３】
また、カラー表示を行うＬＣＤは、Ｒ（赤色），Ｇ（緑色），Ｂ（青色）のカラーフィルタを用い３原色のサブ画素で１画素を構成することが良く知られているが、最近、色効率の向上によって表示輝度を向上し、一層の消費電力の低減を図るために、図７に示すようにＷ（白色）を追加して、Ｒ，Ｇ，Ｂ，Ｗの４色で１画素を構成することが提案されている（特許文献１）。
【０００４】
Ｗのサブ画素４００ｗは、カラーフィルタを省略することができるため、このカラーフィルタによる光損失（吸収）がなく、また、自然画などに多い白成分をＲ，Ｇ，Ｂのサブ画素を用いなくとも表現できるため、上記Ｒ，Ｇ，Ｂ，Ｗの４色の採用により、消費電力の低減、表示輝度の向上を図ることができる。
【０００５】
【特許文献１】特開２００４−１０２２９２号公報
【発明の開示】
【発明が解決しようとする課題】
【０００６】
上記Ｒ，Ｇ，Ｂ，Ｗの４色の採用により、消費電力の低減と、表示輝度の向上を図ることができる。しかし、１画素を構成するサブ画素の数の増大は、パネル面積が同一であれば、１サブ画素あたりの面積が小さくなる。さらに、各サブ画素を個別に駆動する駆動素子を必要とする。
【０００７】
ここで、上述の図６に示すように、アクティブマトリクス型ＬＣＤでは、駆動素子としては、薄膜トランジスタ（ＴＦＴ）などを用いたスイッチング素子ＳＷと、データ線から供給されるデータを所定期間保持するための保持容量Ｃｓを備える。しかし、図８に示すように、これらのスイッチング素子ＳＷ及び保持容量Ｃｓは、リーク電流の発生などを防止するため、画素領域の表示に寄与しない遮光領域に形成する必要がある。したがって、１画素あたりの面積に対する実際に表示可能な面積を表す開口率の向上が難しくなり、カラー表示のために必要なＲ，Ｇ，Ｂのサブ画素の開口率が低くなってしまう。よって、とりわけ上記４色表示を採用するような場合には、開口率の一層の向上を図ることが望まれる。
【０００８】
また、外光強度の高い屋外での視認性と、夜間や外光強度の低い屋内で視認性との両立を図るため、携帯機用の表示装置などとして、１画素を構成する各サブ画素内に反射型表示領域（反射型として動作する領域）と透過型表示領域（透過型として動作する領域）を備えるいわゆる半透過型ＬＣＤが用いられることがある。このような半透過型ＬＣＤでは、外光強度の異なる環境でも表示の視認が可能となる。しかし、その一方で、反射領域は、外光強度の低い環境における視認性の向上への寄与が小さく、透過領域は、外光強度の高い環境における視認性向上への寄与が低いため、外光強度の高い環境下での表示品質は完全な反射型表示装置より低く、外光強度の低い環境下での表示品質は完全な透過型表示装置より低くなる。したがって、様々な使用環境下において視認できると共に、表示品質に優れ、かつ、表示輝度が高く、消費電力の低減を実現することが望まれている。
【０００９】
本発明は、開口率の向上と異なる環境下での表示品質とを両立した電気光学装置を実現することを目的とする。
【課題を解決するための手段】
【００１０】
本発明は、複数の画素を備える電気光学装置であって、前記複数の画素における各画素は、複数のサブ画素を備え、１画素を構成する前記複数のサブ画素の内の少なくとも１つは、反射領域に形成されるとともに、前記複数のサブ画素の内の他の少なくとも１つは、透過領域にて形成され、前記反射領域の中に、前記１画素における前記複数のサブ画素をそれぞれ駆動するための駆動素子が形成されている。
【００１１】
本発明の他の態様では、上記電気光学装置において、前記１画素を構成する複数のサブ画素は、各々異なる色に対応付けられ、前記反射領域に形成されたサブ画素は、無色に対応付けられている。
【００１２】
本発明の他の態様では、上記電気光学装置において、前記１画素を構成する複数のサブ画素は、無色、赤、青、緑のいずれかの色に対応付けられ、前記反射領域に割り当てられたサブ画素は、無色に対応付けられている。
【００１３】
また、本発明のさらに別の態様では、上記電気光学装置において、前記反射領域は、外光を散乱させる凹凸を備えた反射層を備えるとともに、該反射層による外光の反射光を用いた表示を行う領域であり、前記透過領域は、光源からの光の透過光を用いた表示を行う領域である。
【００１４】
本発明の他の態様では、さらに、上記反射層は、前記１画素を構成する複数のサブ画素を駆動するための前記駆動素子が設けられた領域を覆って形成され、前記反射層には、前記駆動素子の存在に起因して前記凹凸が形成されている。
【００１５】
本発明の他の態様では、前記１画素を構成する複数のサブ画素のうち、前記反射領域に形成されたサブ画素が、該複数のサブ画素の各々を選択するための走査線と、前記複数のサブ画素にデータを供給するデータ線との交差に対応して設けられている。
【００１６】
本発明の他の態様では、前記１画素を構成する複数のサブ画素は、前記走査線が延在する方向又は前記データ線が延在する方向に順に並んで配置されている。
【００１７】
さらに、本発明の他の態様では、上記電気光学装置において、前記１画素を構成する前記複数のサブ画素は、行方向及び列方向にブロック状に配置され、前記１画素を構成する前記複数のサブ画素の内、前記反射領域に形成されたサブ画素は、隣接する画素の前記反射領域に形成されたサブ画素と、隣接するように配置されている。
【発明の効果】
【００１８】
以上説明したように、この発明では、ＬＣＤ等に代表される電気光学装置において、１画素が複数のサブ画素を備え、その内の少なくとも１つが反射領域、少なくとも１つが透過領域に形成され、反射領域内に透過領域を含む複数のサブ画素をそれぞれ駆動するための駆動素子が形成されている。つまり表示装置において反射型表示機能と透過型表示機能を備え、かつ、透過表示に寄与しない反射領域に、この反射領域だけでなく、透過領域のサブ画素を駆動するための駆動素子を設けることで、透過領域のサブ画素の全域を開口部、つまり透過型の表示領域として利用し、透過領域での開口率の大幅に改善することができる。
【００１９】
また、１画素を構成する複数のサブ画素の内、反射領域に形成した（反射表示領域に割り当てた）サブ画素を無色（単色、例えば白色）に対応付けることで、透過型の表示品質を向上しつつ、効率的に反射型表示を実行することが可能となる。液晶表示装置において、反射型の表示は、外部から観察側の基板側から、背面側の基板との間に液晶が封入されて構成された液晶層を透過し、背面側基板に設けられた反射層で反射された光が、再び液晶層を透過して観察側の基板から射出される光量を制御することで行われる。ここで、反射型でカラー表示を行う場合には、上記反射層と観察側基板の該表面までの間にカラーフィルタを設ける必要があるが、上記の通り光源は外光であり、そして、観察される光は、カラーフィルタを２回透過して外部に射出された光である。よって、光源からカラーフィルタ及び液晶層を１回透過して外部に射出された光によってカラー表示が実現される透過型表示と比較すると、カラーフィルタによる光損失や、外光よりも高輝度の表示ができないなどの原理的な理由から、色純度が低くかつ表示輝度が低くなりがちになる。しかし、本発明のように、白色の表示をこの反射領域に対応付けることにより、カラーフィルタを不要とでき、カラーフィルタによる光損失を無くして高輝度の反射表示が可能となる。また、上記の通り、反射型表示はカラーフィルタを採用しても色純度の高い高輝度表示が難しいので、本発明のように、単色表示であっても高輝度の反射表示が達成できることで、実質的な表示品質の低下を非常に低く抑えることができる。
【発明を実施するための最良の形態】
【００２０】
以下、図面を用いて本発明の好適な実施の形態（以下実施形態という）について説明する。なお、以下において本実施形態に係る電気光学装置としては、ＬＣＤ（液晶表示装置）やＥＬ（エレクトロルミネッセンス）表示装置などが挙げられるが、以下、ＬＣＤを例に説明する。
【００２１】
［実施形態１］
図１は、本実施形態１に係るＬＣＤの１画素の概略レイアウトを示している。ＬＣＤは、パネル上の表示部に、複数の画素２００が、マトリクス状に配列されており、各画素２００は、各画素２００を選択する複数の走査線１０と、データ信号を供給するための複数のデータ線１２との各交差領域又はその付近に設けられている。
【００２２】
上記１つの画素２００が複数のサブ画素２０で構成されており、本実施形態では、１画素をＲ，Ｇ，Ｂ，Ｗの４色のサブ画素２０ｒ、２０ｂ、２０ｇ、２０ｗで構成している。さらに、本実施形態では、これらの１画素２００を構成するサブ画素２０は、何れも走査線１０の延在方向（水平走査方向）に沿って順に並んで配置されている。
【００２３】
また、上記複数のサブ画素２０の内少なくとも１つのサブ画素として、本実施形態では、白色に対応付けられたサブ画素２０ｗの全領域を反射領域２０４とし、かつ、この反射領域２０４の領域内に、このサブ画素２０ｗを駆動する駆動素子２２ｗと、残りのサブ画素２０ｒ、２０ｇ、２０ｂを駆動する駆動素子２２ｒ、２２ｇ、２２ｂを形成している。
【００２４】
Ｗ以外のＲ，Ｇ，Ｂのサブ画素２０ｒ、２０ｂ、２０ｇは、いわゆるカラー表示を実現可能なサブ画素であり、本実施形態では、これらの領域には、対応する駆動素子２２ｒ、２２ｇ、２２ｂを配置していないので、遮光すべき領域が存在せず、その全領域を透過領域２０２としている。よって、本実施形態１では、透過型表示をＲ，Ｇ，Ｂの三色の透過型サブ画素２０ｒ、２０ｇ、２０ｂで行い、反射型表示は、主にＷの反射型サブ画素２０ｗによって行っている。
【００２５】
データ線１２は、走査線１０と交差する方向（ここでは垂直走査方向）に設けられており、各サブ画素２０に対し、その表示内容に応じたデータ信号を供給するため、本実施形態ではＲ，Ｇ，Ｂ，Ｗ用にそれぞれ設けられている。さらに、本実施形態では、上記の通り、各サブ画素２０を駆動する駆動素子２２をＷのサブ画素２０ｗの形成領域内に配置しているため、本実施形態では、図１に示すように、データ線１２ｒ、１２ｂ、１２ｇ、１２ｗは、何れもＷのサブ画素２０ｗの配置領域内を通るように形成されている。
【００２６】
Ｗのサブ画素２２ｗの領域内での駆動素子２２は、Ｒ，Ｇ，Ｂ，Ｗの対応するサブ画素２２に電気的に接続され、かつ、そのサブ画素２０に対して表示に必要なデータ信号（電圧信号）を供給することができるように配線する。このため、図１の配置に特に限定されるものではないが、図１の例では、対応する走査線１０に近い順から、サブ画素２０ｗから最も離れた位置にあるＢのサブ画素２０ｂを駆動するための駆動素子２２ｂ、Ｇのサブ画素２０ｇ用の駆動素子２２ｇ、Ｒのサブ画素２０ｒの駆動素子２２ｒ、Ｗのサブ画素２０ｗの駆動素子２２ｗが垂直走査方向（列方向；データ線の延在方向）に並んで設けられている。
【００２７】
各サブ画素２０の回路構成は、例えば、上述の図６に示すような等価回路を採用することができ、その場合、各サブ画素２０の駆動素子２２は、スイッチング素子２４と保持容量２６とを備え、スイッチング素子２４は、この場合、走査線１０に、ゲートが接続されたＴＦＴが採用されている。そして、Ｒ，Ｇ，Ｂ，Ｗの各サブ画素２０用の駆動素子２２の何れも（２４ｒ、ｇ、ｂ、ｗ、２６ｒ、ｇ、ｂ、ｗ）が、図１に示すようにＷのサブ画素２０ｗの形成領域内に設けられている。
【００２８】
なお、駆動素子２２は、ＴＦＴ（スイッチング素子）２４と保持容量２６には限定されず、他のスイッチング素子としてＴＦＤ（薄膜ダイオード）等を採用することもできる。また、１つのサブ画素内に、駆動素子２２として、長期間表示データ（例えばデジタルデータ）を保持する目的で、ＲＡＭ（揮発性メモリ）のようなメモリ素子を設ける場合、本実施形態では、このメモリ素子についても、全て、反射領域であるＷのサブ画素２０ｗの形成領域内に配置する。
【００２９】
図２は、図１に示す１画素の概略断面の一部を示している。ＬＣＤは図２に示すように、第１基板１００と第２基板３００との間には液晶層２５０が封入されており、この例では、各基板１００，３００の液晶層２５０との対向面側には、それぞれ、液晶層２５０の配向を制御するための第１電極２１０及び第２電極３１０が形成されている。また、第１電極２１０及び第２電極３１０を覆う液晶層２５０との接触側表面には、それぞれ液晶の初期配向を制御する配向膜２３０が設けられている。
【００３０】
第１及び第２基板１００，３００には、ガラスなどの透明基板が用いられ、第１基板１００側には、第１電極２１０として、サブ画素２０毎に個別のパターンの画素電極が設けられ、第２基板３００側の第２電極３１０は、各画素共通の共通のコモン電極として設けられている。
【００３１】
第２電極３２０の材料としては、インジウムスズ酸化物（以下ＩＴＯ：Indium Tin Oxide）などの透明導電性材料を用いることができ、また、透過領域２０２を構成するＲ，Ｇ，Ｂのサブ画素の第１電極２１０ｒ、２１０ｇ、２１０ｂの材料として、同様に透明導電性材料を用いることができる。
【００３２】
さらに、第１電極２１０の内、反射領域２０４を構成するＷのサブ画素の第１電極２１０ｗについては、光を反射可能な金属などの反射電極材料を採用し、反射層を兼用している。なお、第１基板１００とＷのサブ画素２０ｗの第１電極２１０ｗとの間には、素子層２２０が設けられており、各サブ画素の駆動素子２２が形成されている。
【００３３】
第１電極２１０ｗの材料として反射材料を用いなくとも、第１電極２１０ｗとは別に反射層を設けることも可能である。このように第１電極２１０ｗとは別の反射層を採用する場合、反射層は、少なくとも上記素子層２２０を覆うように形成することが好適である。ここで、素子層２２０は、図中では、簡略化のため単層で示しているが、実際には、例えばスイッチング素子２４を構成する能動層、ゲート絶縁層、ゲート電極、ソース・ドレイン電極、容量Ｃｓを構成する電極、誘電体層（絶縁層）等が所望のパターンに形成され、さらにこれらの素子層を覆って層間絶縁層２２２が形成されている。そして、層間絶縁膜の所定領域にはコンタクトホールが形成され、スイッチング素子２４及び保持容量２６と対応するサブ画素２０の第１電極２１０とが接続されている。
【００３４】
また、第２基板３００と第２電極３１０との間にはカラーフィルタ３２０が形成されており、第１電極２１０ｒ、２１０ｇ、２１０ｂとそれぞれ対向する領域では、Ｒ，Ｇ，Ｂのカラーフィルタ３２０が設けられている。一方、Ｗのサブ画素２０ｗの領域では、Ｗの表示にはカラーフィルタを必要とせず、第２基板３００と第２電極３１０との間にはカラーフィルタ３２０は設けられていない。つまり、Ｗのサブ画素２０ｗでは、単色（無色、非着色）の光による表示が行われる。通常、外光（例えば太陽光などの自然光や室内灯）は白色であるから、液晶によってこの白色の外光が（反射して）ＬＣＤから射出される光量を制御することで、白と黒の単色表示が行われる。もちろん、このＷのサブ画素２０ｗでは、外光光源が白色光でない場合、外光光源の色に応じた単色表示が行われる。なお、このＷのサブ画素２０ｗの領域においても、無色（透明）のフィルタ３２０を形成しても良い。この透明のフィルタは、例えば透明の樹脂材料などを用いて形成でき、このフィルタ層を設けることで、セルギャップを他の色のサブ画素２０と揃え、また、第２基板３００側の液晶との接触面の平坦性を向上させることが容易となる。
【００３５】
Ｒ，Ｇ，Ｂのサブ画素２０ｒ、２０ｇ、２０ｂでは、第１電極２１０ｒ、２１０ｇ、２１０ｂと対向する第２電極３１０とによって、液晶層２５０の配向を制御する。これにより、第１電極２１０、液晶層２５０、第２電極３１０等を透過して第２基板３００から外部に射出される第１基板１００の背面側などに設けられた光源３５０からの光量が制御され、このＲ，Ｇ，Ｂのサブ画素２０ｒ、２０ｇ、２０ｂにおいては、透過型表示（透過型動作）が実行される。
【００３６】
一方、Ｗのサブ画素２０ｗでは、第１電極２１０ｗと、対向する第２電極３１０とによって、液晶層２５０の配向を制御することにより、第２基板３００、第２電極３１０及び液晶層２５０を介して反射層（反射電極）に到達した太陽光、室内灯などの外光３６０のが反射され、再び液晶層２５０を透過し、第２電極３１０及び第２基板を介して外部に射出される光量が制御され、このＷのサブ電極２０ｗにおいて反射型表示（反射型動作）が実行される。
【００３７】
ここで、上記のように、反射性の第１電極２２０ｗ又は単独の反射層（以下、両方のいずれかの機能を備える層を単に反射層という）は、素子層２２０を覆って形成されている。つまり、駆動素子２２を覆って反射層を設けることにより、反射層の液晶層２５０側の表面には、反射層（２１０ｗ）の下層に形成される素子層２２０の存在と、駆動素子の形状などに起因して層間絶縁層２２２の表面に発生する凹凸を引き継いだ凹凸が形成される。
【００３８】
図３は、このような反射層２１０ｗの凹凸の状態を説明している。図３（ａ）は図２の反射層（２１０ｗ）の断面の拡大図であり、図３（ｂ）は、反射層（２１０ｗ）の概略平面図を示している。図示するように素子層２２０を覆って層間絶縁層２２２を形成し、この層間絶縁層２２２の上に反射層２１０ｗを形成することで、例えば図３に示すように反射層２１０ｗの表面に凹部２１２が形成される。
【００３９】
このように反射層２１０ｗの表面に凹凸を設けることにより、外部から液晶層２５０に入射した光をこの反射層２１０ｗの表面で適度に散乱させることができ、反射領域での外部の映り込みやギラツキなどを抑制し、反射表示品質の向上を図ること可能となっている。
【００４０】
なお、反射面の凹凸がランダムである方が光の散乱の均一性が高くなるため、図１では反射領域２０４内で駆動素子２２を規則的に配置しているが、配線やレイアウトの調整し、凹凸がランダムになるように配置することがより好適である。このように、素子層２２を覆って反射層２１０ｗを形成することによってその反射面に凹凸を形成することで、凹凸形成のための特別な工程を追加する必要がなく、製造効率の向上に寄与できる。
【００４１】
［実施形態２］
図４は、実施形態２に係るＬＣＤの画素レイアウトを示している。実施形態１では、図１に示すように１画素２００を構成するサブ画素２０が、全て走査線１０の延在方向（行方向）に沿って順に配置されているが、実施形態２では、反射領域２０４を構成するサブ画素２０ｗが、複数のサブ画素２０をそれぞれ選択するための走査線１０の延在方向に沿って、データ線１２（１２ｒ、１２ｇ、１２ｂ、１２ｗ）との交差領域に配置され、透過領域２０２を構成する残りのＲ，Ｇ，Ｂのサブ画素２０ｒ、２０ｇ、２０ｂが、実施形態１と同様に行方向に順に並んで配置されている（図中は、左からＢ，Ｇ，Ｒの順）。
【００４２】
このため、サブ画素２０ｗの領域内に設けられた透過領域２０２用の駆動素子２２ｒ、２２ｇ、２２ｂと、対応するサブ画素２０ｒ、２０ｇ、２０ｂとの距離がＲ，Ｇ，Ｂの各サブ画素２２に対してほぼ等しくなっており、駆動素子２２と対応するサブ画素２０との配線レイアウトの設計が容易となる。
【００４３】
［実施形態３］
図５は、実施形態３に係るＬＣＤの画素レイアウトを示している。上記実施形態１では、１画素２００は、１本の走査線１０の延在方向に並べられた複数のサブ画素２０によって構成されているが、実施形態３では、１画素２００は、行方向と列方向の両方向にブロック状に配置された複数のサブ画素２０によって構成されている。
【００４４】
複数のサブ画素２０は、Ｒ，Ｇ，Ｂ，Ｗに割り当てられており（２０ｒ、２０ｂ、２０ｇ、２０ｗ）、図５の例では、２行２列のマトリクス状（ブロック状）に配置された４つのサブ画素２０によって１つの画素２００が構成されている。４つのサブ画素２０の互いの配列は特に限定されない。しかし、本実施形態では、ｗのサブ画素２０ｗが、隣接する画素２００のＷのサブ画素２０ｗと、互いに隣接するように配置されている。図５の例では、４つの画素２００の互いに残りの３つの画素と接する位置の４つのサブ画素２０に、Ｗのサブ画素２０ｗを採用している。その結果、４つの画素２００の中央に４つのＷのサブ画素２０ｗが配置されている。
【００４５】
一方、透過領域２０２を構成するＲ，Ｇ，Ｂのサブ画素２０ｒ、２０ｇ、２０ｂは、隣接する画素２００の対向するサブ画素と色が一致しないように配置されている。隣接画素間で、並んだ同色のサブ画素２０が同時に発光した場合、その色が強調され、表示の解像度が見かけ上低下する可能性があるが、Ｒ，Ｇ，Ｂのサブ画素２０ｒ、２０ｇ、２０ｂについて、隣接画素同士で異なる色が並ぶように配置することで、そのような表示品質の低下を防止することができる。
【００４６】
なお、Ｗのサブ画素２０ｗについては、このサブ画素は、元々、単色表示であり、特定の色成分だけが強調されてホワイトバランスがずれることがなく、図５のように複数画素２００で隣接配置することによって配線の効率化を図ることが有効である。しかし、１つのサブ画素の面積等がある程度大きく、１サブ画素内に複数のサブ画素用の駆動素子２２を配置可能であり、或いは、反射表示についても見かけ上の解像度低下をより確実に防止する要望が強い場合には、隣接画素で反射領域２０４用のサブ画素２０ｗが並ぶように配置しなくても良い。一例として、図５の上段の２つの画素２００のレイアウトパターンを下段の２つの画素レイアウト２００でも採用することで、配線効率と反射表示の解像度との両立を図ることも可能である。
【００４７】
また、図５に示すようにＷのサブ画素２０ｗを４つの画素２００の中央に配置した場合、走査線１０、データ線１２は、一例として、Ｗのサブ画素２０ｗを挟む行方向、列方向の中央に対し、それぞれ線対称になるように配置することで、全てのサブ画素２０のための駆動素子２２に必要な信号を効率的は配線レイアウトにより供給することができる。
【００４８】
Ｗのサブ画素２２ｗの領域内での駆動素子２２のレイアウトは、対応するサブ画素２０に対して必要な信号を供給できれば特に制限はないが、一例として図５に示すように、透過領域２０２の各サブ画素２０ｒ、２０ｇ、２０ｂに対してできるだけ短い配線距離で、かつ、互いの配線距離が等しくなるように、配置することがより好適である。
【００４９】
ここで、実施形態２及び３においても、反射領域２０４における反射層（２１０ｗ）の反射面には、凹凸を設けることで光の散乱性を高めることができる。そして、その凹凸は、反射層よりも下層に駆動素子２２を形成することで、容易に実現することができる。もちろん、散乱の均一性をさらに高めるために、図３（ａ）に示す層間絶縁層２２２等に凹凸を積極的に形成してもよい。
【００５０】
また、上記実施形態１〜３において、透過領域２０２は、Ｒ，Ｇ，Ｂ，Ｗの３色の各サブ画素２２を割り当てた例を説明したが、カラー表示を実現するための他の色のサブ画素２０を割り当てても良い。上記３色に限らず、マゼンダやシアンなどの色のサブ画素を採用した場合にはこれらも透過領域２０２とする。また、ＯＣＢ（Optical Compensated Birefringence）モードなど、液晶を高速駆動することが可能で、周期的に異なる色の光源を点灯させて、１つのサブ画素でＲ，Ｇ，Ｂのカラー表示を実現するＬＣＤにも採用することができる。この場合においても、反射領域２０４にＷ等の単色のサブ画素２０ｗを割り当て、残りの透過領域２０２にカラー表示を実現可能なサブ画素２０を割り当てればよい。
【図面の簡単な説明】
【００５１】
【図１】本発明の実施形態１に係るＬＣＤの画素レイアウトの概略を示す図である。
【図２】本発明の実施形態に係るＬＣＤの１画素の概略断面構造を示す図である。
【図３】図２に示す反射層をより詳しく説明する断面及び平面構成を示す図である。
【図４】本発明の実施形態２に係るＬＣＤの画素レイアウトの概略を示す図である。
【図５】本発明の実施形態３に係るＬＣＤの画素レイアウトの概略を示す図である。
【図６】一般的なアクティブマトリクス型ＬＣＤの画素の等価回路を示す図である。
【図７】従来のＬＣＤに係るＲ，Ｇ，Ｂ，Ｗのサブ画素のレイアウトを示す図である。
【図８】従来のアクティブマトリクス型ＬＣＤの一般的な画素レイアウトを説明する図である。
【符号の説明】
【００５２】
１０  走査線、１２  データ線、２０  サブ画素、２２  駆動素子、２４  スイッチング素子、２６  保持容量、１００  第１基板、２００  画素、２０２  透過領域（透過表示領域）、２０４  反射領域（反射表示領域）、２１０  第１電極、２２０  素子層、２２２  層間絶縁層、２３０  配向膜、２５０  液晶層、３００  第２基板、３１０  第２電極（共通電極）、３２０  カラーフィルタ。
【図１】
2008122473.tif 000003
【図２】
2008122473.tif 000004
【図３】
2008122473.tif 000005
【図４】
2008122473.tif 000006
【図５】
2008122473.tif 000007
【図６】
2008122473.tif 000008
【図７】
2008122473.tif 000009
【図８】
2008122473.tif 000010